(57)【要約】【課題】シャッターチャンスに強い操作性を確保するとともに、最新の撮影画像だけでなく、それ以前の撮影直後に確認できなかった撮影画像も確認できるようにする。【解決手段】スイッチ８１１（ＳＷ１）のオンに続き、レリーズボタン８１７が全押しされてスイッチ８１２がオンされると、撮影処理を行い、静止画像データに表示確認情報として未確認フラグを付加して記録する。次に、スイッチ８１１（ＳＷ１）がオンされているか否かを確認し、オンされていなければ、未確認フラグが付加された撮影画像の中に撮影時刻から所定時間以上経過したものがあるか否かを確認し、撮影時刻から所定時間以上経過した撮影画像から未確認フラグを消去する。確認表示処理では、未確認フラグが付加された撮影画像を表示部８１０に一定時間表示し、一定時間表示されたことが確認されると、該一定時間表示された撮影画像から未確認フラグを消去する。【選択図】図３
2009141611.tif 000002
【特許請求の範囲】
【請求項１】
被写体像を光電変換する撮像手段を備え、前記撮像手段による撮影処理に伴って撮影画像を表示部に表示するレックレビュー機能を有する撮像装置であって、
前記撮像手段により撮影された画像に、レックレビュー表示に関する表示確認情報を関連付ける情報付与手段と、
前記情報付与手段により表示確認情報が関連付けられた撮影画像に関して、所定の条件を満たすか否かを判定する判定手段と、
前記判定手段により所定の条件を満たすと判定された撮影画像に関連付けられた表示確認情報を消去する情報消去手段とを備えたことを特徴とする撮像装置。
【請求項２】
被写体像を光電変換する撮像手段を備え、前記撮像手段による撮影処理に伴って撮影画像を表示部に表示するレックレビュー機能を有する撮像装置であって、
前記撮像手段により撮影された画像に関して、所定の条件を満たすか否かを判定する判定手段と、
前記判定手段により所定の条件を満たすと判定された撮影画像に、レックレビュー表示に関する表示確認情報を関連付ける情報付与手段とを備えたことを特徴とする撮像装置。
【請求項３】
前記表示確認情報は、レックレビュー表示を行うことを示す情報であることを特徴とする請求項１に記載の撮像装置。
【請求項４】
前記表示確認情報は、レックレビュー表示を行わないことを示す情報であることを特徴とする請求項２に記載の撮像装置。
【請求項５】
前記判定手段は、レックレビュー表示の時間を判定することを特徴とする請求項１又は２に記載の撮像装置。
【請求項６】
前記判定手段は、撮影時刻からの経過時間を判定することを特徴とする請求項１又は２に記載の撮像装置。
【請求項７】
前記判定手段は、レックレビュー表示中の撮影画像の画像送り操作の有無を判定することを特徴とする請求項１又は２に記載の撮像装置。
【請求項８】
前記判定手段は、レックレビュー表示の中止の有無を判定することを特徴とする請求項１又は２に記載の撮像装置。
【請求項９】
前記判定手段は、レックレビュー表示中での電源を切る操作の有無を判定することを特徴とする請求項１又は２に記載の撮像装置。
【請求項１０】
画像を再生する再生モードにおいて、表示確認情報が関連付けられた撮影画像の中で最も古いものから再生することを特徴とする請求項１に記載の撮像装置。
【請求項１１】
画像を再生する再生モードにおいて、表示確認情報が関連付けられていない撮影画像の中で最も古いものから再生することを特徴とする請求項２に記載の撮像装置。
【請求項１２】
表示確認情報が関連付けられた撮影画像が残っている状態で電源が切られた場合、次に電源が入れられたときに、表示確認情報が関連付けられた撮影画像が残っている旨を通知することを特徴とする請求項１に記載の撮像装置。
【請求項１３】
表示確認情報が関連付けられていない撮影画像が残っている状態で電源が切られた場合、次に電源が入れられたときに、表示確認情報が関連付けられていない撮影画像が残っている旨を通知することを特徴とする請求項２に記載の撮像装置。
【請求項１４】
被写体像を光電変換する撮像手段を備え、前記撮像手段による撮影処理に伴って撮影画像を表示部に表示するレックレビュー機能を有する撮像装置の制御方法であって、
前記撮像手段により撮影された画像に、レックレビュー表示に関する表示確認情報を関連付ける手順と、
前記表示確認情報が関連付けられた撮影画像に関して、所定の条件を満たすか否かを判定する手順と、
前記所定の条件を満たすと判定された撮影画像に関連付けられた表示確認情報を消去する手順とを有することを特徴とする撮像装置の制御方法。
【請求項１５】
被写体像を光電変換する撮像手段を備え、前記撮像手段による撮影処理に伴って撮影画像を表示部に表示するレックレビュー機能を有する撮像装置の制御方法であって、
前記撮像手段により撮影された画像に関して、所定の条件を満たすか否かを判定する手順と、
前記所定の条件を満たすと判定された撮影画像に、レックレビュー表示に関する表示確認情報を関連付ける手順とを有することを特徴とする撮像装置の制御方法。
【請求項１６】
被写体像を光電変換する撮像手段を備え、前記撮像手段による撮影処理に伴って撮影画像を表示部に表示するレックレビュー機能を有する撮像装置を制御するためのプログラムであって、
前記撮像手段により撮影された画像に、レックレビュー表示に関する表示確認情報を関連付ける処理と、
前記表示確認情報が関連付けられた撮影画像に関して、所定の条件を満たすか否かを判定する処理と、
前記所定の条件を満たすと判定された撮影画像に関連付けられた表示確認情報を消去する処理とをコンピュータに実行させるためのプログラム。
【請求項１７】
被写体像を光電変換する撮像手段を備え、前記撮像手段による撮影処理に伴って撮影画像を表示部に表示するレックレビュー機能を有する撮像装置を制御するためのプログラムであって、
前記撮像手段により撮影された画像に関して、所定の条件を満たすか否かを判定する処理と、
前記所定の条件を満たすと判定された撮影画像に、レックレビュー表示に関する表示確認情報を関連付ける処理とをコンピュータに実行させるためのプログラム。
【発明の詳細な説明】
【技術分野】
【０００１】
本発明は、レックレビュー機能を有する電子カメラ等の撮像装置、その制御方法及びプログラムに関する。
【背景技術】
【０００２】
従来、被写体を撮影して静止画像や動画像を得て、これを記憶、再生する電子カメラ等の撮像装置が知られている。この種の撮像装置では、カラー液晶パネル等からなる電子ファインダ等の表示部を備える。また、固体メモリ素子を有するメモリカード等の記憶媒体が着脱可能とされている。そして、撮影画像データを記憶するとともに、記憶した撮影画像を撮影直後に表示部に再生表示して、迅速に確認できるようにした所謂レックレビュー機能を有するものがある。このように撮影直後に撮影画像を確認できるレックレビュー機能は利便性が高く、電子カメラの使用者にとって有益な機能となっている。
【０００３】
レックレビュー機能を有する電子カメラとして、例えば特許文献１には、撮影終了後にレリーズスイッチの一段目のスイッチが押されているか否かにより次の状態が変化するようにしたものが開示されている。レリーズスイッチの一段目のスイッチＳＷ１が押されていないときには、すぐに前回撮影された画像を表示し、撮影済み画像の確認がすぐに行えるようにしている。それに対して、撮影終了後、又は撮影終了後の画像確認中において、レリーズスイッチの一段目のスイッチＳＷ１が押されたときには、画像表示を撮像手段に結像したリアルタイムな動画像に切り換えるようにしている。
【０００４】
【特許文献１】特開平１０−１９１１１９号公報
【発明の開示】
【発明が解決しようとする課題】
【０００５】
しかしながら、従来の電子カメラでは、撮影画像をレックレビュー表示する場合、レックレビュー表示される前、もしくはレックレビュー表示されても確認できないほどの早いタイミングで次の撮影に入ると、レックレビュー表示が消えてしまう。次に自動的にレックレビュー表示される画像は、最新の撮影画像だけであるため、レックレビュー表示で確認できなかった撮影画像を確認するためには、撮像モードから再生モードへと切替え、未確認の画像まで戻らなければならなかった。そのため、露出等を変えながら撮影を続けた場合、もし間違った露出で撮影してしまっても、再生モードへ入り、その撮影画像まで戻らなければ気付くことができなかった。
【０００６】
本発明は上記のような点に鑑みてなされたものであり、シャッターチャンスに強い操作性を確保するとともに、最新の撮影画像だけでなく、それ以前の撮影直後に確認できなかった撮影画像も確認できるようにすることを目的とする。
【課題を解決するための手段】
【０００７】
本発明の撮像装置は、被写体像を光電変換する撮像手段を備え、前記撮像手段による撮影処理に伴って撮影画像を表示部に表示するレックレビュー機能を有する撮像装置であって、前記撮像手段により撮影された画像に、レックレビュー表示に関する表示確認情報を関連付ける情報付与手段と、前記情報付与手段により表示確認情報が関連付けられた撮影画像に関して、所定の条件を満たすか否かを判定する判定手段と、前記判定手段により所定の条件を満たすと判定された撮影画像に関連付けられた表示確認情報を消去する情報消去手段とを備えたことを特徴とする。
本発明の別の撮像装置は、被写体像を光電変換する撮像手段を備え、前記撮像手段による撮影処理に伴って撮影画像を表示部に表示するレックレビュー機能を有する撮像装置であって、前記撮像手段により撮影された画像に関して、所定の条件を満たすか否かを判定する判定手段と、前記判定手段により所定の条件を満たすと判定された撮影画像に、レックレビュー表示に関する表示確認情報を関連付ける情報付与手段とを備えたことを特徴とする。
本発明の撮像装置の制御方法は、被写体像を光電変換する撮像手段を備え、前記撮像手段による撮影処理に伴って撮影画像を表示部に表示するレックレビュー機能を有する撮像装置の制御方法であって、前記撮像手段により撮影された画像に、レックレビュー表示に関する表示確認情報を関連付ける手順と、前記表示確認情報が関連付けられた撮影画像に関して、所定の条件を満たすか否かを判定する手順と、前記所定の条件を満たすと判定された撮影画像に関連付けられた表示確認情報を消去する手順とを有することを特徴とする。
本発明の別の撮像装置の制御方法は、被写体像を光電変換する撮像手段を備え、前記撮像手段による撮影処理に伴って撮影画像を表示部に表示するレックレビュー機能を有する撮像装置の制御方法であって、前記撮像手段により撮影された画像に関して、所定の条件を満たすか否かを判定する手順と、前記所定の条件を満たすと判定された撮影画像に、レックレビュー表示に関する表示確認情報を関連付ける手順とを有することを特徴とする。
本発明のプログラムは、被写体像を光電変換する撮像手段を備え、前記撮像手段による撮影処理に伴って撮影画像を表示部に表示するレックレビュー機能を有する撮像装置を制御するためのプログラムであって、前記撮像手段により撮影された画像に、レックレビュー表示に関する表示確認情報を関連付ける処理と、前記表示確認情報が関連付けられた撮影画像に関して、所定の条件を満たすか否かを判定する処理と、前記所定の条件を満たすと判定された撮影画像に関連付けられた表示確認情報を消去する処理とをコンピュータに実行させる。
本発明の別のプログラムは、被写体像を光電変換する撮像手段を備え、前記撮像手段による撮影処理に伴って撮影画像を表示部に表示するレックレビュー機能を有する撮像装置を制御するためのプログラムであって、前記撮像手段により撮影された画像に関して、所定の条件を満たすか否かを判定する処理と、前記所定の条件を満たすと判定された撮影画像に、レックレビュー表示に関する表示確認情報を関連付ける処理とをコンピュータに実行させる。
【発明の効果】
【０００８】
本発明によれば、連続的な撮影やレックレビュー表示中の撮影を可能にしてシャッターチャンスに強い操作性を確保できるとともに、最新の撮影画像だけでなく、それ以前の撮影直後に確認できなかった撮影画像も容易に確認することができる。
【発明を実施するための最良の形態】
【０００９】
以下、添付図面を参照して、本発明の好適な実施形態について説明する。
（第１の実施形態）
図１及び図２は、本発明の実施形態に係る電子カメラ（デジタル一眼レフカメラ）の外観図である。図１は、電子カメラを被写体側より見た正面側斜視図であって、撮影レンズユニットを外した状態を示す。図２は、電子カメラを撮影者側より見た背面側斜視図である。
【００１０】
図１に示すように、カメラ本体１には、撮影時に撮影者が安定して握り易いように被写体側に突出したグリップ部１ａが設けられている。
【００１１】
カメラ本体１のマウント部２には、撮影レンズユニット（図１、２では不図示）が着脱可能に固定される。マウント接点２１は、カメラ本体１と撮影レンズユニットとの間で制御信号、状態信号、データ信号等の通信を可能にするとともに、撮影レンズユニット側に電力を供給する。マウント接点２１は、電気通信のみならず、光通信、音声通信等が可能なように構成してもよい。マウント部２の横には、撮影レンズユニットを取り外す際に押し込むレンズロック解除ボタン４が配置されている。
【００１２】
カメラ本体１内には、撮影レンズを通過した撮影光束が導かれるミラーボックス５が設けられており、ミラーボックス５内にメインミラー（クイックリターンミラー）６が配設されている。メインミラー６は、撮影光束をペンタプリズム２２（図３を参照）の方向へ導くために撮影光軸に対して４５°の角度に保持される状態と、撮像素子３３（図３を参照）の方向へ導くために撮影光束から退避した位置に保持される状態とを取り得る。
【００１３】
カメラ上部のグリップ１ａ側には、撮影開始の起動スイッチとしてのレリーズボタン７と、撮影時の動作モードに応じてシャッタスピードやレンズ絞り値を設定するためのメイン操作ダイヤル８と、撮影系の動作モード設定ボタン１０とが配置されている。これら操作部材の操作結果の一部は、ＬＣＤ表示パネル９に表示される。レリーズボタン７は、第１ストローク（半押し）でスイッチＳＷ１（図３の７ａ）がオンし、第２ストローク（全押し）でスイッチＳＷ２（図３の７ｂ）がオンする構成となっている。また、動作モード設定ボタン１０は、レリーズボタン７の１回の押込みで連写になるか１コマのみの撮影となるかの設定や、セルフ撮影モードの設定等を行うためのものであり、ＬＣＤ表示パネル９にその設定状況が表示される。
【００１４】
カメラ上部の中央には、カメラ本体１に対してポップアップするストロボユニット１１と、フラッシュ取り付け用のシュー溝１２及びフラッシュ接点１３とが設けられている。
【００１５】
カメラ上部の右よりには、撮影モード設定ダイヤル１４が配置されている。
【００１６】
カメラのグリップ１ａに対して反対側の側面には、開閉可能な外部端子蓋１５が設けられている。外部端子蓋１５を開けた内部には、外部インタフェースとしてビデオ信号出力用ジャック１６及びＵＳＢ出力用コネクタ１７が納められている。
【００１７】
図２に示すように、カメラ背面の上方には、ファインダ接眼窓１８が設けられている。また、カメラ背面の中央付近には、画像表示可能なカラー液晶モニタ１９が設けられている。
【００１８】
カラー液晶モニタ１９の横には、サブ操作ダイヤル２０が配置されている。サブ操作ダイヤル２０は、メイン操作ダイヤル８の機能の補助的役割を担うものである。例えばカメラのＡＥモードでは、自動露出装置によって算出された適正露出値に対する露出補正量を設定するために使用される。シャッタスピード及びレンズ絞り値の各々を使用者の意志によって設定するマニュアルモードでは、メイン操作ダイヤル８でシャッタスピードを設定し、サブ操作ダイヤル２０でレンズ絞り値を設定するように使用される。また、このサブ操作ダイヤル２０は、カラー液晶モニタ１９に表示される撮影済み画像の表示を選択するためにも使用される。
【００１９】
さらに、カメラ背面には、カメラの動作を起動もしくは停止するためのメインスイッチ４３が配置されている。
【００２０】
図３は、本発明の実施形態に係る電子カメラの主要な電気的構成を示すブロック図である。なお、図１、２と共通する部分には同一の符号を付す。カメラ本体１に内蔵されたマイクロコンピュータからなる中央処理装置（以下、「ＭＰＵ」と称する）１００は、カメラの動作制御を司るものであり、各要素に対して様々な処理や指示を実行する。ＭＰＵ１００に内蔵されたＥＥＰＲＯＭ１００ａは、時刻計測回路１０９の計時情報やその他の情報を記憶することができる。
【００２１】
ＭＰＵ１００には、ミラー駆動回路１０１、焦点検出回路１０２、シャッタ駆動回路１０３、映像信号処理回路１０４、スイッチセンス回路１０５、測光回路１０６が接続されている。また、液晶表示駆動回路１０７、バッテリチェック回路１０８、時刻計測回路１０９、電源供給回路１１０が接続されている。これらの回路は、ＭＰＵ１００の制御によって動作するものである。
【００２２】
ＭＰＵ１００は、撮影レンズユニット内のレンズ制御回路２０１とマウント接点２１を介して通信を行う。マウント接点２１は、撮影レンズユニットが接続されるとＭＰＵ１００へ信号を送信する機能も有する。これにより、レンズ制御回路２０１は、ＭＰＵ１００との間で通信を行い、ＡＦ駆動回路２０２及び絞り駆動回路２０３を介して撮影レンズユニット内の撮影レンズ２００及び絞り２０４の駆動を行う。なお、図３では便宜上１枚の撮影レンズのみを図示しているが、実際は多数のレンズ群によって構成される。
【００２３】
ＡＦ駆動回路２０２は、例えばステッピングモータを含んで構成され、レンズ制御回路２０１の制御によって撮影レンズ２００内のフォーカスレンズ位置を変化させ、撮像素子３３に撮影光束の焦点を合わせるように調整する。絞り駆動回路２０３は、例えばオートアイリス等を含んで構成され、レンズ制御回路２０１の制御によって絞り２０４を変化させ、光学的な絞り値を得る。
【００２４】
メインミラー６は、図３に示す撮影光軸に対して４５°の角度に保持された状態で、撮影レンズ２００を通過する撮影光束をペンタプリズム２２へ導くとともに、その一部を透過させてサブミラー３０へ導く。サブミラー３０は、メインミラー６を透過した撮影光束を焦点検出用センサユニット３１へ導く。
【００２５】
ミラー駆動回路１０１は、例えばＤＣモータとギヤトレイン等を含んで構成され、メインミラー６を、ファインダにより被写体像を観察可能とする位置と、撮影光束から待避する位置とに駆動する。メインミラー６が駆動すると、同時にサブミラー３０も、焦点検出用センサユニット３１へ撮影光束を導く位置と、撮影光束から待避する位置とに移動する。
【００２６】
焦点検出用センサユニット３１は、不図示の結像面近傍に配置されたフィールドレンズ、反射ミラー、２次結像レンズ、絞り、複数のＣＣＤからなるラインセンサ等によって構成され、位相差方式の焦点検出を行う。焦点検出用センサユニット３１から出力される信号は、焦点検出回路１０２へ供給され、被写体像信号に換算された後、ＭＰＵ１００に送信される。ＭＰＵ１００は、被写体像信号に基づいて位相差検出法による焦点検出演算を行う。そして、デフォーカス量及びデフォーカス方向を求め、これに基づいて、レンズ制御回路２０１及びＡＦ駆動回路２０２を介して撮影レンズ２００内のフォーカスレンズを合焦位置まで駆動する。
【００２７】
ペンタプリズム２２は、メインミラー６によって反射された撮影光束を正立正像に変換反射する。撮影者はファインダ光学系を介してファインダ接眼窓１８から被写体像を観察することができる。ペンタプリズム２２は、撮影光束の一部を測光センサ２３へも導く。測光回路１０６は、測光センサ２３の出力を得て、観察面上の各エリアの輝度信号に変換し、ＭＰＵ１００に出力する。ＭＰＵ１００は、輝度信号に基づいて露出値を算出する。
【００２８】
シャッタユニット（機械フォーカルプレーンシャッタ）３２は、撮像待機時、つまり撮影者がファインダにより被写体像を観察している時には、撮影光束を遮る状態にある。そして、撮像時には、レリーズ信号に応じて、不図示の先羽根群と後羽根群の走行する時間差により所望の露光時間を得るように構成されている。シャッタユニット３２は、ＭＰＵ１００の指示を受けたシャッタ駆動回路１０３によって制御される。
【００２９】
撮像素子３３は、被写体の光学像を電気信号に変換する。本実施形態ではＣＭＯＳ型撮像デバイスが用いられるが、その他にもＣＣＤ型等様々な形態があり、いずれの形態の撮像デバイスを採用してもよい。
【００３０】
クランプ／ＣＤＳ（相関二重サンプリング）回路３４は、Ａ／Ｄ変換する前の基本的なアナログ処理を行うものであり、クランプレベルを変更することも可能である。ＡＧＣ（自動利得調整装置）３５は、Ａ／Ｄ変換する前の基本的なアナログ処理を行うものであり、ＡＧＣ基本レベルを変更することも可能である。Ａ／Ｄ変換器３６は、撮像素子３３のアナログ出力信号をデジタル信号に変換する。
【００３１】
映像信号処理回路１０４は、デジタル化された画像データに対してガンマ／ニー処理、フィルタ処理、モニタ表示用の情報合成処理等、ハードウエアによる画像処理全般を実行する。この映像信号処理回路１０４からのモニタ表示用の画像データは、カラー液晶駆動回路１１２を介してカラー液晶モニタ１９に表示される。また、映像信号処理回路１０４は、ＭＰＵ１００の指示に従って、メモリコントローラ３８を通じてバッファメモリ３７に画像データを保存することもできる。さらに、映像信号処理回路１０４は、ＪＰＥＧ等の画像データ圧縮処理を行うこともできる。連写撮影等、連続して撮影が行われる場合は、一旦バッファメモリ３７に画像データを格納し、メモリコントローラ３８を通して未処理の画像データを順次読み出すこともできる。これにより、映像信号処理回路１０４は、Ａ／Ｄ変換器３６から入力されてくる画像データの速度に関わらず、画像処理や圧縮処理を順次行うことができる。
【００３２】
メモリコントローラ３８は、外部インタフェース４０から入力される画像データをメモリ３９に記憶し、メモリ３９に記憶されている画像データを外部インタフェース４０から出力する機能を有する。なお、外部インタフェース４０は、図１におけるビデオ信号出力用ジャック１６及びＵＳＢ出力用コネクタ１７が相当するものである。メモリ３９としては、カメラ本体に着脱可能なフラッシュメモリ等が用いられる。
【００３３】
スイッチセンス回路１０５は、各スイッチの操作状態に応じて入力信号をＭＰＵ１００に送信する。スイッチＳＷ１（７ａ）は、レリーズボタン７の第１ストローク（半押し）によりオンする。スイッチＳＷ２（７ｂ）は、レリーズボタン７の第２ストローク（全押し）によりオンする。スイッチＳＷ２（７ｂ）がオンされると、撮影開始の指示がＭＰＵ１００に送信される。また、メイン操作ダイヤル８、サブ操作ダイヤル２０、撮影モード設定ダイヤル１４、メインスイッチ４３が接続されている。
【００３４】
液晶表示駆動回路１０７は、ＭＰＵ１００の指示に従って、外部液晶表示装置（ＬＣＤ表示パネル）９やファインダ内液晶表示器４１を駆動する。
【００３５】
バッテリチェック回路１０８は、ＭＰＵ１００の指示に従って、バッテリチェックを行い、その検出結果をＭＰＵ１００に送信する。電源４２は、カメラの各要素に対して電源供給回路１１０を介して電源を供給する。
【００３６】
時刻計測回路１０９は、メインスイッチ４３がＯＦＦされて次にＯＮされるまでの時間や日付を計測し、ＭＰＵ１００からの指示に従って、計測結果をＭＰＵ１００に送信する。
【００３７】
図４は、本発明の実施形態に係る電子カメラの機能構成を示すブロック図である。本実施形態に係る電子カメラは、撮像部８０２による撮影処理に伴って撮影画像を表示部８１０に表示する所謂レックレビュー機能を有する。すなわち、光学系８０１を介して結像した被写体像を撮像部８０２で光電変換し、画像処理部８０３、圧縮部８０４及び記録制御部８０５を経て記録部８０７に記録するとともに、再生部８０８及び表示制御部８０９を介して表示部８１０に表示する。
【００３８】
以下、各部について説明すると、光学系８０１は、レンズや絞り、光学フィルタ等により構成され、撮像部８０２に被写体像を結像する。撮像部（撮像手段）８０２は、被写体像を光電変換するものであり、撮像素子により構成され、例えば撮像デバイスであるＣＭＯＳが用いられる。撮像デバイスには、ＣＣＤ型、ＣＭＯＳ型及びＣＩＤ型等の様々な形態があり、いずれの形態の撮像デバイスを採用してもよい。
【００３９】
画像処理部（画像処理手段）８０３は、撮像部８０２によって生成された電気信号を静止画像信号に変換する。圧縮部（圧縮手段）８０４は、画像処理部８０３によって生成された静止画像信号をレリーズボタン８１７のスイッチ８１２（ＳＷ２）がオンされたタイミングで受け取り、圧縮又は非圧縮する。記録制御部（記録制御手段）８０５は、圧縮部８０４によって圧縮又は非圧縮された静止画像信号を記録部８０７に記録する制御を行う。
【００４０】
情報付与部（情報付与手段）８０６は、撮像部８０２によって撮影され、記録制御部８０５によって記録部８０７に記録される静止画像信号に、レックレビュー表示に関する表示確認情報を関連付ける。ここでは、静止画像信号に表示確認情報を付加するようにしている。情報消去部（情報消去手段）８１８は、情報付与部８０６によって静止画像信号に付加された表示確認情報を消去する。
【００４１】
記録部（記録手段）８０７は、記録制御部８０５による制御下で、レリーズボタン８１７のスイッチ８１１（ＳＷ１）の選択に応じて後述する動作説明の如く画像信号を記録するものであり、内部メモリ又は外部のメモリカード等により構成される。
【００４２】
再生部（再生手段）８０８は、記録部８０７に記録された圧縮又は非圧縮の静止画像信号を表示部８１０に表示する信号に変換する。表示制御部（表示制御手段）８０９は、画像処理部８０３によって生成されたリアルタイムな静止画像の連続像（以下、「動画像」ともいう。）や、再生部８０８によって生成された再生画像の信号を表示部８１０に伝達して表示させる。
【００４３】
表示部（表示手段）８１０は、表示制御部８０９による制御下で、撮像部８０２及び画像処理部８０３によって生成された被写体の動画像又は記録部８０７に記録された静止画像を後述の動作説明の如く表示する。表示部８１０は、小型ブラウン管又はＬＣＤ等により構成される。
【００４４】
判定部（判定手段）８１４は、表示確認情報が付与された静止画像信号に関して、所定の条件を満たすか否かを判定する。表示設定部（表示設定手段）８１５は、表示部８１０に表示する画像の枚数や表示する時間を設定する。表示終了部（表示終了手段）８１６は、表示部８１０の表示を終了する。システム制御部（システム制御手段）８１３は、電子カメラの全体の制御を行う。
【００４５】
レリーズボタン８１７は、少なくとも二段階以上の接点を有するスイッチである。レリーズボタン８１７は、例えば押下量に応じて二段階の状態が切り換わる構造を採り、半押しされた場合に第一段目のスイッチ８１１（ＳＷ１）が選択され、全押しされた場合に第二段目のスイッチ８１２（ＳＷ２）が選択される。本実施形態では、スイッチ８１１（ＳＷ１）の選択に応じて表示部８１０の画像表示の内容が以下の動作説明の如く変化する。
【００４６】
図５は、第１の実施形態に係る電子カメラの確認表示（レックレビュー表示）処理を示すフローチャートである。撮影準備状態（ステップＳ１）からレリーズボタン８１７が半押しされてスイッチ８１１（ＳＷ１）がオンされると（ステップＳ２）、システム制御部８１３は、ＡＦ（オートフォーカス）処理、ＡＥ（自動露出）処理、ＡＷＢ（オートホワイトバランス）処理、ＥＦ（フラッシュプリ発光）処理等の動作開始を指示する。
【００４７】
次にレリーズボタン８１７が全押しされてスイッチ８１２（ＳＷ２）がオンされると（ステップＳ３）、システム制御部８１３は、スイッチ８１２（ＳＷ２）がオンされたタイミングで撮影処理を行う（ステップＳ４）。撮像部８０２で撮影された被写体像を画像処理部８０３で処理して静止画像データを生成し、ここで生成した静止画像データを圧縮部８０４に受け渡す。圧縮部８０４ではカメラ側又は撮影者が設定した圧縮率に従い静止画像データの圧縮処理をするか、非圧縮が設定されている場合は圧縮処理せずに、静止画像データを記録制御部８０５に受け渡す。
【００４８】
そして、記録制御部８０５に受け渡された静止画像データに、情報付与部８０６で表示確認情報として未確認フラグを付加して、記録部８０７に記録する（ステップＳ５）。
【００４９】
次に、システム制御部８１３は、スイッチ８１１（ＳＷ１）がオンされているか否かを確認する（ステップＳ６）。スイッチ８１１（ＳＷ１）がオンされていれば、システム制御部８１３は、ＡＦ処理、ＡＥ処理、ＡＷＢ処理、ＥＦ処理等の動作開始を指示するとともに、ステップＳ３に戻る。スイッチ８１１（ＳＷ１）がオンされていなければ、システム制御部８１３は、判定部８１４により、未確認フラグが付加された撮影画像の中に撮影時刻から所定時間以上経過したものがあるか否かを確認する（ステップＳ７）。撮影時刻から所定時間以上経過した撮影画像があれば、情報消去部８１８により、その撮影画像から未確認フラグを消去し（ステップＳ８）、確認表示処理を開始する（ステップＳ９）。撮影時刻から所定時間以上経過した撮影画像がなければ、確認表示処理を開始する（ステップＳ９）。撮影時刻からの経過時間を判定し、撮影時刻から所定時間以上経過した撮影画像については、確認表示を行う必要がないものとして、確認表示の対象から外すようにしたものである。
【００５０】
確認表示処理では、未確認フラグが付加された撮影画像を表示部８１０に一定時間表示する（ステップＳ９、Ｓ１０）。ここでの一定時間は、通常０．５〜５秒程度であり、望ましくは２〜３秒程度がよい。このとき表示する画像は最新の撮影画像からでも良いし、最も古い撮影画像からでも良い。ユーザが予めどちらから表示させるか設定できるようにしても良い。また、サムネイルの形式で表示しても、ユーザが表示設定部８１５により設定した分割数で一画面に表示しても良い。システム制御部８１３は、判定部８１４により一定時間表示されたことが確認されると（ステップＳ１０）、情報消去部８１８により、該一定時間表示された撮影画像から未確認フラグを消去する（ステップＳ１２）。
【００５１】
次に、システム制御部８１３は、記録部８０７に未確認フラグが付加された撮影画像が残っているか否かを確認する（ステップＳ１３）。未確認フラグが付加された撮影画像が残っている場合、ステップＳ９に戻り、次の確認表示処理を実行する。未確認フラグが付加された撮影画像が残っていない場合、ステップＳ２に戻り、次の撮影を指示するスイッチ８１１（ＳＷ１）からの信号を待つこととなる。
【００５２】
また、システム制御部８１３は、未確認フラグが付加された撮影画像を一定時間表示している間（ステップＳ１０）、スイッチ８１１（ＳＷ１）がオンされるか否かを確認する（ステップＳ１１）。スイッチ８１１（ＳＷ１）がオンされると、システム制御部８１３は、ＡＦ処理、ＡＥ処理、ＡＷＢ処理、ＥＦ処理等の動作開始を指示するとともに、ステップＳ３に戻る。
【００５３】
撮影者が連続的に撮影を行いたいとき、又は、表示部８１０に撮影画像が表示されている途中（確認表示中）に次の撮影を行いたいときには、前回の撮影終了後、又は前回の撮影終了後の確認表示中にスイッチ８１１（ＳＷ１）をオンすれば（ステップＳ６、Ｓ１１）、システム制御部８１３は、ＡＦ処理、ＡＥ処理、ＡＷＢ処理、ＥＦ処理等の動作開始を指示する。
【００５４】
すなわち、本実施形態に係る電子カメラにおいては、撮影終了後にスイッチ８１１（ＳＷ１）がオンされているか否かにより次の状態が変化し、スイッチ８１１（ＳＷ１）がオンされていないときには、すぐに未確認フラグが付加された撮影画像を表示部８１０に表示する。これにより、未確認画像の確認をすぐに行うことができる。そして、撮影終了後、又は撮影終了後の確認表示中にスイッチ８１１（ＳＷ１）がオンされたときには、次の撮影が可能な状態とし、シャッターチャンスを逃さない構成となっている。
【００５５】
なお、ステップＳ７、Ｓ８において、撮影時刻から所定時間以上経過した撮影画像は確認表示しないようにしているが、この所定時間を無限に設定しておけば、未確認の撮影画像は全て表示することができる。また、例えばユーザが表示設定部８１５により表示枚数を設定し、現在の撮影から設定した枚数以前の未確認の撮影画像から未確認フラグを消去するようにしても良い。また、画像を再生する再生モードに入った際に、未確認フラグが付加された撮影画像の番号の最も早いもの（最も古いもの）から表示するようにしてもよい。
【００５６】
（第２の実施形態）
次に、本発明の第２の実施形態を説明する。本実施形態は、上記第１の実施形態のようにレックレビュー表示を行うことを示す未確認情報（未確認フラグ）を付加するのではなく、レックレビュー表示を行わないことを示す表示確認済み情報（確認済みフラグ）を付加する構成としたものである。なお、電子カメラの基本的な構成は上述したものと同様であり、ここではその詳細な説明を省略する。
【００５７】
図６は、第２の実施形態に係る電子カメラの確認表示（レックレビュー表示）処理を示すフローチャートである。撮影準備状態（ステップＳ１４）からレリーズボタン８１７が半押しされてスイッチ８１１（ＳＷ１）がオンされると（ステップＳ１５）、システム制御部８１３は、ＡＦ処理、ＡＥ処理、ＡＷＢ処理、ＥＦ処理等の動作開始を指示する。
【００５８】
次にレリーズボタン８１７が全押しされてスイッチ８１２（ＳＷ２）がオンされると（ステップＳ１６）、システム制御部８１３は、スイッチ８１２（ＳＷ２）がオンされたタイミングで撮影処理を行う（ステップＳ１７）。撮像部８０２で撮影された被写体像を画像処理部８０３で処理して静止画像データを生成し、ここで生成した静止画像データを圧縮部８０４に受け渡す。圧縮部８０４ではカメラ側又は撮影者が設定した圧縮率に従い静止画像データの圧縮処理をするか、非圧縮が設定されている場合は圧縮処理せずに、静止画像データを記録制御部８０５に受け渡す。そして、記録制御部８０５に受け渡された静止画像データを、記録部８０７に記録する。
【００５９】
次に、システム制御部８１３は、スイッチ８１１（ＳＷ１）がオンされているか否かを確認する（ステップＳ１８）。スイッチ８１１（ＳＷ１）がオンされていれば、システム制御部８１３は、ＡＦ処理、ＡＥ処理、ＡＷＢ処理、ＥＦ処理等の動作開始を指示するとともに、ステップＳ１６に戻る。スイッチ８１１（ＳＷ１）がオンされていなければ、システム制御部８１３は、判定部８１４により、確認済みフラグが付加されていない画像の中に撮影時刻から所定時間以上経過したものがあるか否かを確認する（ステップＳ１９）。撮影時刻から所定時間以上経過した撮影画像があれば、情報付与部８０６により、その撮影画像に表示確認情報として確認済みフラグを付加し（ステップＳ２０）、確認表示処理を開始する（ステップＳ２１）。撮影時刻から所定時間以上経過した撮影画像がなければ、確認表示処理を開始する（ステップＳ２１）。
【００６０】
確認表示処理では、確認済みフラグが付加されていない撮影画像を表示部８１０に一定時間表示する（ステップＳ２８、Ｓ２９）。なお、ここでの一定時間は、第１の実施形態と同様、通常０．５〜５秒程度であり、望ましくは２〜３秒程度がよい。また、表示の態様も第１の実施形態で説明したとおりである。システム制御部８１３は、判定部８１４により一定時間表示されたことが確認されると（ステップＳ２２）、情報付与部８０６により、該一定時間表示された撮影画像に確認済みフラグを付与する（ステップＳ２４）。
【００６１】
次に、システム制御部８１３は、記録部８０７に確認済みフラグが付加されていない撮影画像が残っているか否かを確認する（ステップＳ２５）。確認済みフラグが付加されていない撮影画像が残っている場合、ステップＳ２１に戻り、次の確認表示処理を実行する。確認済みフラグが付加されていない画像が残っていない場合、ステップＳ１５に戻り、次の撮影を指示するスイッチ８１１（ＳＷ１）からの信号を待つこととなる。
【００６２】
また、システム制御部８１３は、確認済みフラグが付加されていない撮影画像を一定時間表示している間中（ステップＳ２２）、スイッチ８１１（ＳＷ１）がオンされるか否かを確認する（ステップＳ２３）。スイッチ８１１（ＳＷ１）がオンされると、システム制御部８１３は、ＡＦ処理、ＡＥ処理、ＡＷＢ処理、ＥＦ処理等の動作開始を指示するとともに、ステップＳ１６に戻る。
【００６３】
撮影者が連続的に撮影を行いたいとき、又は、表示部８１０に撮影画像が表示されている途中（確認表示中）に次の撮影を行いたいときには、前回の撮影終了後、又は前回の撮影終了後の確認表示中にスイッチ８１１（ＳＷ１）をオンすれば（ステップＳ１８、Ｓ２３）、システム制御部８１３は、ＡＦ処理、ＡＥ処理、ＡＷＢ処理、ＥＦ処理等の動作開始を指示する。
【００６４】
すなわち、本実施形態に係る電子カメラにおいては、撮影終了後にスイッチ８１１（ＳＷ１）がオンされているか否かにより次の状態が変化し、スイッチ８１１（ＳＷ１）がオンされていないときには、すぐに確認済みフラグが付加されていない撮影画像を表示部８１０に表示する。これにより、未確認画像の確認をすぐに行うことができる。そして、撮影終了後、又は撮影終了後の確認表示中にスイッチ８１１（ＳＷ１）がオンされたときには、次の撮影が可能な状態とし、シャッターチャンスを逃さない構成となっている。
【００６５】
本実施形態でも、ステップＳ１９、Ｓ２０において、撮影時刻から所定時間以上経過した撮影画像は確認表示しないようにしているが、この所定時間を無限に設定しておけば、未確認の撮影画像は全て表示することができる。また、例えばユーザが表示設定部８１５により表示枚数を設定し、現在の撮影から設定した枚数以前の未確認の撮影画像から未確認フラグを消去するようにしても良い。また、画像を再生する再生モードに入った際に、確認済みフラグが付加されていない撮影画像の番号の最も早いもの（最も古いもの）から表示するようにしてもよい。
【００６６】
本実施形態では、第１の実施形態のように表示確認情報を消去する必要がないので、情報消去部８１８が不要となり、装置構成を簡単にすることができる。
【００６７】
（第３の実施形態）
次に、本発明の第３の実施形態を説明する。本実施形態は、上記第１の実施形態のように撮影画像に未確認情報（未確認フラグ）を付加するが、その消去条件を変更したものである。なお、電子カメラの基本的な構成は上述したものと同様であり、ここではその詳細な説明を省略する。
【００６８】
図７は、第３の実施形態に係る電子カメラの確認表示（レックレビュー表示）処理を示すフローチャートである。ステップＳ１〜Ｓ１３の処理は、第１の実施形態の図５と同様であり、その説明は省略する。
【００６９】
本実施形態では、システム制御部８１３は、未確認フラグが付加された撮影画像を一定時間表示している間（ステップＳ１０）、確認表示中の撮影画像の画像送り操作（次の画像に進めるコマ早送り操作）の有無を確認する（ステップＳ２６）。コマ早送り操作がなされると、一定時間経過前であるが、表示中の撮影画像から未確認フラグを消去して（ステップＳ１２）、次に表示すべき未確認フラグが付加された撮影画像を表示する（ステップＳ１３）。
【００７０】
また、システム制御部８１３は、未確認フラグが付加された撮影画像を一定時間表示している間（ステップＳ１０）、確認表示の終了操作（中止）の有無を確認する（ステップＳ２７）。確認表示の終了操作がなされると、情報消去部８１８により、未確認フラグが付加された全ての撮影画像から未確認フラグを消去して（ステップＳ２８）、ステップＳ２に戻り、次の撮影を指示するスイッチ８１１（ＳＷ１）からの信号を待つこととなる。
【００７１】
更に、システム制御部８１３は、未確認フラグが付加された撮影画像を一定時間表示している間（ステップＳ１０）、メインスイッチ４３による電源を切る操作の有無を確認する（ステップＳ２９）。電源を切る操作がなされると、情報消去部８１８により、未確認フラグが付加された全ての撮影画像から未確認フラグを消去して（ステップＳ３０）、電源を落とす（ステップＳ３１）。
【００７２】
また、上記第１の実施形態と同様に、システム制御部８１３は、未確認フラグが付加された撮影画像を一定時間表示している間（ステップＳ１０）、スイッチ８１１（ＳＷ１）がオンされるか否かを確認する（ステップＳ１１）。スイッチ８１１（ＳＷ１）がオンされていれば、システム制御部８１３は、ＡＦ処理、ＡＥ処理、ＡＷＢ処理、ＥＦ処理等の動作開始を指示するとともに、ステップＳ３に戻る。
【００７３】
撮影者が連続的に撮影を行いたいとき、又は、表示部８１０に撮影画像が表示されている途中（確認表示中）に次の撮影を行いたいときには、前回の撮影終了後、又は前回の撮影終了後の確認表示中にスイッチ８１１（ＳＷ１）をオンすれば（ステップＳ６、Ｓ１１）、システム制御部８１３は、ＡＦ処理、ＡＥ処理、ＡＷＢ処理、ＥＦ処理等の動作開始を指示する。
【００７４】
すなわち、本実施形態に係る電子カメラにおいては、撮影終了後にスイッチ８１１（ＳＷ１）がオンされているか否かにより次の状態が変化し、スイッチ８１１（ＳＷ１）がオンされていないときには、すぐに未確認フラグが付加された撮影画像を表示部８１０に表示する。これにより、未確認画像の確認をすぐに行うことができる。そして、撮影終了後、又は撮影終了後の確認表示中にスイッチ８１１（ＳＷ１）がオンされたときには、次の撮影が可能な状態とし、シャッターチャンスを逃さない構成となっている。
【００７５】
なお、電源を落とす場合に、未確認フラグが付加された全ての撮影画像から未確認フラグを消去するようにした例を説明したが、それに限定されるものではない。例えば電源を落とす場合に、未確認フラグをそのままとしておき、次に電源を入れた際に、未確認フラグが付加された撮影画像がある旨をユーザに通知するようにしてもよい。
【００７６】
なお、第３の実施形態では、第１の実施形態のように未確認フラグを付加する場合を基に説明したが、第２の実施形態のように確認済みフラグを付加する場合にも、コマ早送り操作、確認表示の終了操作、電源を切る操作を判定条件に加えても良い。
【００７７】
なお、本発明の目的は、上述した実施形態の機能を実現するソフトウェアのプログラムコードを記録した記憶媒体を、システム或いは装置に供給することによっても達成される。この場合、そのシステム或いは装置のコンピュータ（又はＣＰＵやＭＰＵ）が記憶媒体に格納されたプログラムコードを読み出し実行する。
【００７８】
この場合、記憶媒体から読み出されたプログラムコード自体が上述した実施形態の機能を実現することになり、プログラムコード自体及びそのプログラムコードを記憶した記憶媒体は本発明を構成することになる。
【００７９】
プログラムコードを供給するための記憶媒体としては、例えば、フレキシブルディスク、ハードディスク、光ディスク、光磁気ディスク、ＣＤ−ＲＯＭ、ＣＤ−Ｒ、磁気テープ、不揮発性のメモリカード、ＲＯＭ等を用いることができる。
【００８０】
また、コンピュータが読み出したプログラムコードを実行することにより、上述した実施形態の機能が実現されるだけに限らない。例えば、そのプログラムコードの指示に基づき、コンピュータ上で稼動しているＯＳ（基本システム或いはオペレーティングシステム）等が実際の処理の一部又は全部を行い、その処理によって上述した実施形態の機能が実現されてもよい。
【００８１】
さらに、記憶媒体から読み出されたプログラムコードが、コンピュータに挿入された機能拡張ボードやコンピュータに接続された機能拡張ユニットに備わるメモリに書き込まれる形態でもよい。この場合メモリに書き込まれた後、そのプログラムコードの指示に基づき、その機能拡張ボードや機能拡張ユニットに備わるＣＰＵ等が実際の処理の一部又は全部を行い、その処理によって上述した実施形態の機能が実現される。
【図面の簡単な説明】
【００８２】
【図１】本発明の実施形態に係る電子カメラを被写体側より見た正面側斜視図である。
【図２】本発明の実施形態に係る電子カメラを撮影者側より見た背面側斜視図である。
【図３】本発明の実施形態に係る電子カメラの主要な電気的構成を示すブロック図である。
【図４】本発明の実施形態に係る電子カメラの機能構成を示すブロック図である。
【図５】第１の実施形態に係る電子カメラの確認表示処理を示すフローチャートである。
【図６】第２の実施形態に係る電子カメラの確認表示処理を示すフローチャートである。
【図７】第３の実施形態に係る電子カメラの確認表示処理を示すフローチャートである。
【符号の説明】
【００８３】
８０１  光学系
８０２  撮像部
８０３  画像処理部
８０４  圧縮部
８０５  記録制御部
８０６  情報付与部
８０７  記録部
８０８  再生部
８０９  表示制御部
８１０  表示部
８１１  第一段目のスイッチ
８１２  第二段目のスイッチ
８１３  システム制御部
８１４  判定部
８１５  表示設定部
８１６  表示終了部
８１７  レリーズボタン
８１８  情報消去部
【図１】
2009141611.tif 000003
【図２】
2009141611.tif 000004
【図３】
2009141611.tif 000005
【図４】
2009141611.tif 000006
【図５】
2009141611.tif 000007
【図６】
2009141611.tif 000008
【図７】
2009141611.tif 000009